【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
共有アクセス媒体上において送信されたパケットから少なくとも１つの遅延関連パラメータを取得し、前記少なくとも１つの遅延関連パラメータに、少なくとも部分的に、基づいて前記共有アクセス媒体上における送信を遅延するかどうかを決定するように構成された処理システム、
ここにおいて、前記処理システムは、前記装置がメンバである基本サービスセット（ＢＳＳ）からのパケットの送信中に前記共有アクセス媒体上における送信を遅延し、重複する基本サービスセット（ＯＢＳＳ）のリスト内における１つまたは複数のＯＢＳＳからのパケットの送信中に前記共有アクセス媒体上における送信を遅延しないように構成される、を備える、装置。
【請求項２】
前記少なくとも１つの遅延関連パラメータは、前記パケットを送信したデバイスの部分的関連付け識別子（ＡＩＤ）、前記パケットの受信が意図されるデバイスの部分的ＡＩＤ、前記パケットの基本サービスセット識別子（ＢＳＳＩＤ）、前記パケットの送信電力のインジケーション、前記パケットがドロップされることができるかどうかのインジケーション、前記パケットのサービス品質（ＱｏＳ）のインジケーション、または前記装置が遅延すべき受信電力レベルのインジケーションのうちの少なくとも１つを備える、請求項１に記載の装置。
【請求項３】
前記処理システムは、前記少なくとも１つの遅延関連パラメータのうちのどれを使用するかのインジケーションに基づいて決定するようにさらに構成される、請求項１に記載の装置。
【請求項４】
前記処理システムは、前記少なくとも１つの遅延関連パラメータおよび少なくとも１つの他のパラメータに基づいて決定するようにさらに構成され、ここにおいて、前記少なくとも１つの他のパラメータは、前記パケットの帯域幅、前記パケットの変調およびコーディングスキーム（ＭＣＳ）、前記パケットの持続時間、前記パケットの受信信号強度インジケーション（ＲＳＳＩ）、または前記パケットを送信したデバイスからの以前のパケットのＲＳＳＩのうちの少なくとも１つを備える、請求項１に記載の装置。
【請求項５】
前記処理システムは、前記１つまたは複数のＯＢＳＳからのパケットの前記送信がエネルギーしきい値を下回る場合に前記１つまたは複数のＯＢＳＳからのパケットの送信中に前記共有アクセス媒体上における送信を遅延せず、前記装置がメンバである前記ＢＳＳからのパケットの送信中に前記共有アクセス媒体上における送信を遅延するように構成される、請求項１に記載の装置。
【請求項６】
ワイヤレス通信のための装置であって、
他の装置が共有アクセス媒体上において送信することを遅延すべきか否かを決定するために別の装置によって使用されるべき少なくとも１つの遅延関連パラメータを備えるパケットを生成するように構成された処理システムと、
前記他の装置への送信のために前記パケットを出力するように構成されたインタフェースと、
ここにおいて、前記少なくとも１つの遅延関連パラメータは、
基本サービスセット（ＢＳＳ）の識別子、
前記パケットの送信機の識別子、または、
前記パケットの受信機の識別子のうちの少なくとも１つを備え、
前記処理システムは、前記識別子によって識別されたＢＳＳをリスト内における１つまたは複数の重複するＢＳＳ（ＯＢＳＳ）と比較することによって決定する際に前記他の装置が使用するために、ある特定のＯＢＳＳの前記リストをシグナリングするメッセージを生成するようにさらに構成される、
を備える、装置。
【請求項７】
前記処理システムは、決定する際に前記他の装置が使用するために前記少なくとも１つの遅延関連パラメータの１つまたは複数のしきい値をシグナリングするメッセージを生成するようにさらに構成される、請求項６に記載の装置。
【請求項８】
前記少なくとも１つの遅延関連パラメータは、前記パケットが遅延を必要とするかどうかのインジケーションまたは前記パケットのサービス品質（ＱｏＳ）のインジケーションのうちの少なくとも１つと、前記他の装置による前記遅延関連パラメータの受信後に前記他の装置が遅延することになっているのに等しいまたはそれを上回る受信電力レベルのインジケーションと
をさらに備える、請求項６に記載の装置。
【請求項９】
前記処理システムは、どのタイプの遅延関連パラメータが送信されたパケット内において含まれるべきかをシグナリングするメッセージを生成するようにさらに構成される、請求項６に記載の装置。
【請求項１０】
前記インタフェースは、ビーコン、プローブ応答、関連付け応答、または管理フレームのうちの少なくとも１つを介した送信のために前記メッセージを出力するようにさらに構成される、請求項９に記載の装置。
【請求項１１】
前記インタフェースは、決定する際に前記他の装置によって使用されるべき１つまたは複数のルールに関する情報を提供するようにさらに構成される、請求項６に記載の装置。
【請求項１２】
前記処理システムは、前記ＢＳＳの前記識別子に、少なくとも部分的に、基づいて部分的関連付け識別子（ＡＩＤ）を生成し、前記パケットのプリアンブル内において前記部分的ＡＩＤを含むようにさらに構成され、ここにおいて、前記部分的ＡＩＤは、前記ＢＳＳの前記識別子として少なくともいくつかのビットを、および局（ＳＴＡ）識別子に対して少なくともいくつかのビットを有する、または、アップリンクとダウンリンクとを差別化するために使用されるべき少なくともいくつかのビットを有する、請求項６に記載の装置。
【請求項１３】
基本サービスセット（ＢＳＳ）の重複していない識別子を決定するために１つまたは複数の他の装置と協調することをさらに備える、請求項６に記載の装置。
【請求項１４】
ワイヤレス通信のための方法であって、
装置において、共有アクセス媒体上において送信されたパケットから少なくとも１つの遅延関連パラメータを取得することと、
前記装置において、前記少なくとも１つの遅延関連パラメータに、少なくとも部分的に、基づいて前記共有アクセス媒体上における送信を遅延するかどうかを決定することと
ここにおいて、前記装置は、前記装置がメンバである基本サービスセット（ＢＳＳ）からのパケットの送信中に前記共有アクセス媒体上における送信を遅延し、重複する基本サービスセット（ＯＢＳＳ）のリスト内における１つまたは複数のＯＢＳＳからのパケットの送信中に前記共有アクセス媒体上における送信を遅延しない、
を備える、方法。
【請求項１５】
ワイヤレス通信のための方法であって、
装置において、他の装置が共有アクセス媒体上において送信することを遅延すべきか否かを決定するために別の装置によって使用されるべき少なくとも１つの遅延関連パラメータを備えるパケットを生成することと、
前記他の装置への送信のために前記パケットを出力することと、ここにおいて、前記少なくとも１つの遅延関連パラメータは、
基本サービスセット（ＢＳＳ）の識別子、
前記パケットの送信機の識別子、または、
前記パケットの受信機の識別子のうちの少なくとも１つを備え、
前記処理システムは、前記識別子によって識別されたＢＳＳをリスト内における１つまたは複数の重複するＢＳＳ（ＯＢＳＳ）と比較することによって決定する際に前記他の装置が使用するためにある特定のＯＢＳＳの前記リストをシグナリングするメッセージを生成するようにさらに構成される、
を備える、方法。
【手続補正２】
【補正対象書類名】明細書
【補正対象項目名】０１１５
【補正方法】変更
【補正の内容】
【０１１５】
[0124]前述の内容が本開示の態様を対象としている一方、本開示の他のおよびさらなる態様は、その基本的な範囲から逸脱することなしに考案されえ、その範囲は、次の特許請求の範囲によって決定される。
以下に本願の出願当初の特許請求の範囲に記載された発明を付記する。
［Ｃ１］
ワイヤレス通信のための装置であって、
共有アクセス媒体上において送信されたパケットから少なくとも１つの遅延関連パラメータを取得し、前記少なくとも１つの遅延関連パラメータに、少なくとも部分的に、基づいて前記共有アクセス媒体上における送信を遅延するかどうかを決定するように構成された処理システムを備える、装置。
［Ｃ２］
前記処理システムは、前記少なくとも１つの遅延関連パラメータに関連付けられた１つまたは複数のしきい値に基づいて決定するようにさらに構成される、Ｃ１に記載の装置。
［Ｃ３］
前記少なくとも１つの遅延関連パラメータは、前記パケットを送信したデバイスの部分的関連付け識別子（ＡＩＤ）、前記パケットの受信が意図されるデバイスの部分的ＡＩＤ、前記パケットの基本サービスセット識別子（ＢＳＳＩＤ）、前記パケットの送信電力のインジケーション、前記パケットがドロップされることができるかどうかのインジケーション、前記パケットのサービス品質（ＱｏＳ）のインジケーション、または前記装置が遅延すべき受信電力レベルのインジケーションのうちの少なくとも１つを備える、Ｃ１に記載の装置。
［Ｃ４］
前記処理システムは、重複する基本サービスセット（ＯＢＳＳ）のリストにさらに基づいて前記共有アクセス媒体上における送信を遅延するかどうかを決定するように構成される、Ｃ１に記載の装置。
［Ｃ５］
前記処理システムは、前記少なくとも１つの遅延関連パラメータのうちのどれを使用するかのインジケーションに基づいて決定するようにさらに構成される、Ｃ１に記載の装置。
［Ｃ６］
前記インジケーションは、ビーコン、プローブ応答、関連付け応答、または管理フレームのうちの少なくとも１つにおいて受信される、Ｃ５に記載の装置。
［Ｃ７］
前記処理システムは、前記少なくとも１つの遅延関連パラメータおよび少なくとも１つの他のパラメータに基づいて決定するようにさらに構成される、Ｃ１に記載の装置。
［Ｃ８］
前記少なくとも１つの他のパラメータは、前記パケットの帯域幅、前記パケットの変調およびコーディングスキーム（ＭＣＳ）、前記パケットの持続時間、前記パケットの受信信号強度インジケーション（ＲＳＳＩ）、または前記パケットを送信したデバイスからの以前のパケットのＲＳＳＩのうちの少なくとも１つを備える、Ｃ７に記載の装置。
［Ｃ９］
前記処理システムは、部分的関連付け識別子（ＡＩＤ）に基づいて基本サービスセット（ＢＳＳ）の識別子を決定するようにさらに構成される、Ｃ１に記載の装置。
［Ｃ１０］
前記処理システムは、前記装置がメンバであるＢＳＳからのパケットの送信中に前記共有アクセス媒体上における送信を遅延し、１つまたは複数のＯＢＳＳからのパケットの送信中に前記共有アクセス媒体上における送信を遅延しないように構成される、Ｃ１に記載の装置。
［Ｃ１１］
前記処理システムは、前記１つまたは複数のＯＢＳＳからのパケットの前記送信がエネルギーしきい値を下回る場合に前記１つまたは複数のＯＢＳＳからのパケットの送信中に前記共有アクセス媒体上における送信を遅延せず、前記装置がメンバである前記ＢＳＳからのパケットの送信中に前記共有アクセス媒体上における送信を遅延するように構成される、Ｃ１０に記載の装置。
［Ｃ１２］
ワイヤレス通信のための装置であって、
他の装置が共有アクセス媒体上において送信することを遅延すべきか否かを決定するために別の装置によって使用されるべき少なくとも１つの遅延関連パラメータを備えるパケットを生成するように構成された処理システムと、
前記他の装置への送信のために前記パケットを出力するように構成されたインタフェースと
を備える、装置。
［Ｃ１３］
前記少なくとも遅延関連パラメータは、前記パケットの物理レイヤ（ＰＨＹ）プリアンブル内に含まれる、Ｃ１２に記載の装置。
［Ｃ１４］
前記処理システムは、決定する際に前記他の装置が使用するために前記少なくとも１つの遅延関連パラメータの１つまたは複数のしきい値をシグナリングするメッセージを生成するようにさらに構成される、Ｃ１２に記載の装置。
［Ｃ１５］
前記少なくとも１つの遅延関連パラメータは、基本サービスセット（ＢＳＳ）の識別子、前記パケットの送信機の識別子、または前記パケットの受信機の識別子のうちの少なくとも１つを備える、Ｃ１２に記載の装置。
［Ｃ１６］
前記処理システムは、前記識別子によって識別されたＢＳＳをリスト内における１つまたは複数の重複するＢＳＳ（ＯＢＳＳ）と比較することによって決定する際に前記他の装置が使用するためにある特定のＯＢＳＳの前記リストをシグナリングするメッセージを生成するようにさらに構成される、Ｃ１５に記載の装置。
［Ｃ１７］
前記少なくとも１つの遅延関連パラメータは、前記パケットが遅延を必要とするかどうかのインジケーションまたは前記パケットのサービス品質（ＱｏＳ）のインジケーションのうちの少なくとも１つを備える、Ｃ１２に記載の装置。
［Ｃ１８］
前記少なくとも１つの遅延関連パラメータは、前記他の装置による前記遅延関連パラメータの受信後に前記他の装置が遅延することになっているのに等しいまたはそれを上回る受信電力レベルのインジケーションを備える、Ｃ１２に記載の装置。
［Ｃ１９］
前記処理システムは、どのタイプの遅延関連パラメータが送信されたパケット内において含まれるべきかをシグナリングするメッセージを生成するようにさらに構成される、Ｃ１２に記載の装置。
［Ｃ２０］
前記インタフェースは、ビーコン、プローブ応答、関連付け応答、または管理フレームのうちの少なくとも１つを介した送信のために前記メッセージを出力するようにさらに構成される、Ｃ１９に記載の装置。
［Ｃ２１］
前記インタフェースは、決定する際に前記他の装置によって使用されるべき１つまたは複数のルールに関する情報を提供するようにさらに構成される、Ｃ１２に記載の装置。
［Ｃ２２］
前記処理システムは、前記ＢＳＳの前記識別子に、少なくとも部分的に、基づいて部分的関連付け識別子（ＡＩＤ）を生成し、前記パケットのプリアンブル内において前記部分的ＡＩＤを含むようにさらに構成される、Ｃ１５に記載の装置。
［Ｃ２３］
前記部分的ＡＩＤは、前記ＢＳＳの前記識別子として少なくともいくつかのビットを、および局（ＳＴＡ）識別子に対して少なくともいくつかのビットを有する、Ｃ２２に記載の装置。
［Ｃ２４］
前記部分的ＡＩＤは、アップリンクとダウンリンクとを差別化するために使用されるべき少なくともいくつかのビットを有する、Ｃ２２に記載の装置。
［Ｃ２５］
基本サービスセット（ＢＳＳ）の重複していない識別子を決定するために１つまたは複数の他の装置と協調することをさらに備える、Ｃ１２に記載の装置。
［Ｃ２６］
前記部分的ＡＩＤの異なる値は、異なるＢＢＳを識別する、Ｃ２２に記載の装置。
［Ｃ２７］
前記ＳＴＡ識別子は、前記装置がアクセスポイント（ＡＰ）と通信している場合に前記装置のアドレスを備える、Ｃ２３に記載の装置。
［Ｃ２８］
前記ＳＴＡ識別子は、前記装置がアクセスポイント（ＡＰ）と通信している場合に前記ＡＰのアドレスを備える、Ｃ２３の装置。
［Ｃ２９］
ワイヤレス通信のための方法であって、
共有アクセス媒体上において送信されたパケットから少なくとも１つの遅延関連パラメータを取得することと、
前記少なくとも１つの遅延関連パラメータに、少なくとも部分的に、基づいて前記共有アクセス媒体上における送信を遅延するかどうかを決定することと
を備える、方法。
［Ｃ３０］
ワイヤレス通信のための方法であって、
他の装置が共有アクセス媒体上において送信することを遅延すべきか否かを決定するために別の装置によって使用されるべき少なくとも１つの遅延関連パラメータを備えるパケットを生成することと、
前記他の装置への送信のために前記パケットを出力することと
を備える、方法。